(57)【要約】【課題】第一筐体と第二筐体とが二つの軸回りに回転自在に連結されてなる電子機器の見た目を良くすること。【解決手段】携帯型電子機器１は、表面に液晶表示パネル２１が設けられた第一筐体２と、表面に拡張ユニット５１〜５６を装着できる第二筐体３と、第一筐体２と第二筐体３を連結する二軸連結体６とを備える。二軸連結体６は、第二筐体３の左側縁に沿った第一軸心６４回りに回転自在となって第二筐体３の左側縁に設けられている。更に、二軸連結体６は、第一軸心６４に垂直な第二軸心６６回りに回転自在となって軸受孔２２に挿入されている。軸受孔２２は、第一筐体２の裏面において、上下方向の中央に且つ左端に配されている。【選択図】　　　　図２
2004046333.tif 000002
【特許請求の範囲】
【請求項１】
第一筐体と、前記第一筐体に対向する第二筐体と、前記第一筐体と前記第二筐体を連結する連結体とを備える電子機器において、
前記連結体が、前記第二筐体の側縁に沿った第一軸心回りに回転自在となって、前記第二筐体の側縁に設けられ、
前記連結体が、前記第一軸心に垂直な第二軸心回りに回転自在となって、前記第二筐体に向き合う前記第一筐体の裏面に連結していることを特徴とする電子機器。
【請求項２】
前記連結体が前記第二軸心回りに回転自在となって前記第一筐体の裏面に連結した箇所は、前記第一筐体の裏面における端であることを特徴とする請求項１に記載の電子機器。
【請求項３】
表示を行う表示部が前記第一筐体の表面に設けられていることを特徴とする請求項１又は２に記載の電子機器。
【請求項４】
前記第一筐体の裏面に向き合う前記第二筐体の表面に凹部が形成されており、前記凹部に対して拡張ユニットが着脱自在であることを特徴とする請求項１から３の何れか一項に記載の電子機器。
【発明の詳細な説明】
【０００１】
【発明の属する技術分野】
本発明は、第一筐体と第二筐体とが二つの軸回りに回転自在に連結されてなる電子機器に関する。
【０００２】
【従来の技術】
従来より携帯電話機といった折り畳み式の電子機器が知られている。折り畳み式電子機器は、第一筐体と第二筐体がヒンジで回動可能に連結した構造となっている。第二筐体に向き合う第一筐体の裏面に液晶表示パネルが設けられており、第一筐体に向き合う第二筐体の表面にキーやボタン等といった入力部が設けられている。第一筐体と第二筐体を閉じると、液晶表示パネルと入力部が挟まれて、液晶表示パネルと入力部が近接した状態になる。一方、第一筐体と第二筐体を開くと、液晶表示パネルと入力部が共にユーザの方向を向いて、ユーザは液晶表示パネルを見ながら入力部で所望のデータを入力することができる。
【０００３】
折り畳み式の電子機器では、第一筐体と第二筐体を閉じた場合に液晶表示パネルが第一筐体と第二筐体の間に挟まれた状態となるから、液晶表示パネルを見ることができない。そこで、第一筐体と第二筐体を閉じた状態でも液晶表示パネルを見ることができるように、図９に示されるような電子機器２００が開発されている。
【０００４】
図９に示すように、この電子機器２００は、第一筐体２０１と第二筐体２０２が二軸連結体２０３で連結した構造となっている。二軸連結体２０３は、第二筐体２０２の側縁に沿った軸心２０６回りに回転自在となって軸受部２０８，２０８に連結している。この軸受部２０８は第二筐体２０２から出張っている。二軸連結体２０３は、軸心２０６に直交する軸心２０７回りに回転自在となって第一筐体２０１の側面に連結している。第一筐体２０１の表面に液晶表示パネル２０５が設けられており、第二筐体２０２の表面に複数のキー２０９が設けられている。
【０００５】
図９（ｂ）に示すように、第一筐体２０１と第二筐体２０２を閉じた状態では、第一筐体２０１が第二筐体２０２に対向して、キー２０９が第一筐体２０１の裏面に挟まれた状態となっている。この場合、液晶表示パネル２０５が露出し、ユーザに向いているため、ユーザは液晶表示パネル２０５を見ることができる。
【０００６】
キー２０９を用いる場合には、まず軸心２０６を中心にして第二筐体２０２に対して第一筐体２０１を１８０°回転させると、キー２０９が露出し、液晶表示パネル２０５がユーザとは反対を向いている。そして、軸心２０７を中心にして第二筐体２０２に対して第二筐体を１８０°反転させると、電子機器２００は図９（ａ）のような状態になって、液晶表示パネル２０５がユーザを向く。従って、ユーザは液晶表示パネル２０５を見ながらキー２０９を操作することができる。
【０００７】
【発明が解決しようとする課題】
しかしながら、従来の電子機器２００では、二軸連結体２０３が第一筐体２０１から左に出張っているため、図９（ｂ）のように閉じた状態の電子機器２００が左右のバランスが悪く、電子機器２００の外観が損ねる。また、二軸連結体２０３が第一筐体２０１から左に出張っている分だけ電子機器２００の形状が大きくなる。特に、開いた状態の電子機器２００が左右の幅が広くなってしまう。
そこで、本発明が解決しようとする課題は、第一筐体と第二筐体とが二つの軸回りに回転自在に連結されてなる電子機器の見た目を良くし、使用時の重量バランスを良くすることである。
【０００８】
【課題を解決するための手段】
以上の課題を解決するために、請求項１に記載の発明は、例えば図１〜図２に示すように、第一筐体（例えば、第一筐体２）と、前記第一筐体に対向する第二筐体（例えば、第二筐体３）と、前記第一筐体と前記第二筐体を連結する連結体（例えば、二軸連結体６）とを備える電子機器（例えば、携帯型電子機器１）において、
前記連結体が、前記第二筐体の側縁に沿った第一軸心（例えば、第一軸心６４）回りに回転自在となって、前記第二筐体の側縁に設けられ、
前記連結体が、前記第一軸心に垂直な第二軸心（例えば、第二軸心６６）回りに回転自在となって、前記第二筐体に向き合う前記第一筐体の裏面に連結していることを特徴とする。
【０００９】
請求項２に記載の発明は、例えば図５に示すように、請求項１に記載の電子機器において、
前記連結体が前記第二軸心回りに回転自在となって前記第一筐体の裏面に連結した箇所（例えば、軸受孔２２）は、前記第一筐体の裏面における端であることを特徴とする。
【００１０】
請求項１又は２に記載の発明では、連結体が第一軸心回りに回転自在となって第二筐体の側縁に設けられており、連結体が第二軸心回りに回転自在となって第一筐体に連結しているため、第二筐体に対して第一筐体を第一軸心及び第二軸心回りに回転させることができる。
【００１１】
また、第一筐体の裏面に連結体が連結しており、この連結体が第二筐体の側縁に設けられているため、第一筐体に第二筐体が対向している場合に第一筐体の表面側から第一筐体を見ると連結体が第一筐体によって隠れる。従って、連結体が第一筐体から側方に向かって出張っていることもない。そのため、第一筐体が第二筐体に対向している場合、電子機器全体としてバランスの良い形態となっており、第一筐体に第二筐体が対向した状態の電子機器の形状が小さくすることができる。
【００１２】
また、第二筐体に対向した第一筐体を第二軸心回りに回転させると、第一筐体が第二筐体の脇に位置する。この状態では、第二筐体の表面が露出されて、第一筐体の表面と第二筐体の表面が同じ方向を向いている。この状態から、第二筐体に対して第一筐体を第一軸心回りに回転させると、第一筐体が第二筐体に対して斜めに立った状態となる。第一筐体の裏面に連結体が連結しているため、第一筐体が第二筐体に対して立った状態では第一筐体の重心が第二筐体の重心により近づく。そのため、第一筐体が第二筐体に対して立った状態で第二筐体を水平な箇所に載置しても、第一筐体の重みで電子機器全体が倒れることがない。
【００１３】
請求項３に記載の発明は、例えば図５に示すように、請求項１又は２に記載の電子機器において、
表示を行う表示部（例えば、液晶表示パネル２１）が前記第一筐体の表面に設けられていることを特徴とする。
【００１４】
請求項３に記載の発明では、第二筐体に対向した第一筐体を第二軸心回りに回転させると、第一筐体が第二筐体の脇に位置する。この状態では、第二筐体の表面と表示部が同じ方向を向いている。仮に第二筐体の表面にキーボード等といった入力部が設けられていれば、ユーザは表示部を見ながら入力部で入力を行える。
【００１５】
請求項４に記載の発明は、例えば図３〜図４に示すように、請求項１から３の何れか一項に記載の電子機器において、
前記第一筐体の裏面に向き合う前記第二筐体の表面に凹部（例えば、凹部３３）が形成されており、前記凹部に対して拡張ユニット（例えば、拡張ユニット５１〜５６）が着脱自在であることを特徴とする。
【００１６】
請求項４に記載の発明では、凹部に対して拡張ユニットが着脱自在であるので、凹部に装着する拡張ユニットを交換することで電子機器に様々な機能を持たせることができる。
また、第一筐体に対して第二筐体が対向していると、凹部に装着された拡張ユニットが第一筐体及び第二筐体に挟まれた状態となる。従って、拡張ユニットが第一筐体及び第二筐体によって保護される。
【００１７】
【発明の実施の形態】
以下に、図面を用いて本発明の具体的な態様について説明する。ただし、発明の範囲を図示例に限定するものではない。
【００１８】
図１及び図２に示すように、ＰＤＡ（Ｐｅｒｓｏｎａｌ　Ｄｉｇｉｔａｌ　Ａｓｓｉｓｔａｎｔ）である携帯型電子機器１は、第一筐体２と、第二筐体３と、二軸連結体６とを備える。なお、図１（ａ）及び図２（ａ）は正面図であり、図１（ｂ）及び図２（ｂ）は左側面図であり、図１（ｃ）は切断線Ａ−Ａで切断した場合の断面図であり、図２（ｃ）は切断線Ｂ−Ｂで切断した場合の断面図であり、図１（ｄ）及び図２（ｄ）は下面図である。
【００１９】
まず、第二筐体３について説明する。図３（ａ）は第二筐体３を左から見た場合の側面図であり、図３（ｂ）は第二筐体３の正面図であり、図３（ｃ）は図３（ｂ）に示された切断線Ｃ−Ｃで切断した場合の第二筐体３の断面図である。
【００２０】
図３に示すように、第二筐体３は正面視して上下に長尺となっている。第二筐体３は、側面視して下端部３１が盛り上がっており、下端部３１より上にある上部３２がより薄くなっている。第二筐体３の全体の幅はＷ１である。
【００２１】
下端部３１の表面には、上下左右ボタン８１と、電源ボタン８２と、決定ボタン８３と、メニューボタン８４と、エスケープボタン８５とが設けられており、これらボタン８１〜８５を押すことで所望の情報を入力することができる。
【００２２】
上部３２の表面には上下に長尺な矩形状の凹部３３が形成されている。凹部３３の下には二つの係合穴３４が形成されている。凹部３３の底には複数のソケット３５〜４０が配列されている。凹部３３の底において、ソケット３６の上には第一係合爪４１が設けられている。
【００２３】
第二筐体３の凹部３３に対して図４に示された拡張ユニット５１〜５６が着脱自在であり、ユーザは拡張ユニット５１〜５６の何れか選択して凹部３３に装着することができる。拡張ユニット５１〜５６の幅は凹部３３の幅と同じであり、拡張ユニット５１〜５４，５６の長さは凹部３３の長さと同じであり、拡張ユニット５５の長さは凹部３３の長さよりやや長くなっている。拡張ユニット５１〜５６は、凹部３３全体を埋めるように凹部３３に嵌め込めるようになっており、拡張ユニット５１〜５４，５６は凹部３３の合致して嵌め込め、拡張ユニット５５は凹部３３より上方へやや出張るように凹部３３に嵌め込める。
【００２４】
拡張ユニット５１〜５６の下端部に二つの係合突起５７がそれぞれ設けられており、拡張ユニット５１〜５６の裏面に第二係合爪５８がそれぞれ設けられている。拡張ユニット５１〜５６の何れかを装着するに際しては、係合突起５７を係合穴３４に挿入し、拡張ユニット５１〜５６全体を凹部３３に嵌めると、第一係合爪４１に第二係合爪５８が係合する。
【００２５】
拡張ユニット５１はキーボードである。ソケット３５に挿入可能な端子が拡張ユニット５１の裏面から突出している。拡張ユニット５１が凹部３３に装着されると、裏面の端子がソケット３５に挿入されて、拡張ユニット５１からの信号が端子とソケット３５を介して、第二筐体３に内蔵された回路へ入力されるようになる。なお、拡張ユニット５１の端子は、他のソケット３５〜４０に差し込まれない。
【００２６】
拡張ユニット５２はバッテリーである。ソケット３６に挿入可能な端子が拡張ユニット５２の裏面から突出している。拡張ユニット５２が凹部３３に装着されると、拡張ユニット５２の端子がソケット３６に挿入されて、拡張ユニット５２からの電力が端子とソケット３６を介して、第二筐体３に内蔵された回路に供給されるようになる。
【００２７】
拡張ユニット５３はスライドパッドであり、スライドパッドは指等の接触位置を検知するものであり、スライドパッドに接した指等を接した状態で指等を移動することで所望の情報を入力することができる。ソケット３７に挿入可能な端子が拡張ユニット５３の裏面から突出している。拡張ユニット５３が凹部３３に装着されると、拡張ユニット５３の端子がソケット３７に挿入されて、拡張ユニット５３からの信号が端子とソケット３７を介して、第二筐体３に内蔵された回路へ入力されるようになる。
【００２８】
拡張ユニット５４はカードスロットであり、ＣＦカード用のスロット５４ａと、ＳＤカード用のスロット５４ｂとを備える。ソケット３８に挿入可能な端子が拡張ユニット５３の裏面から突出しており、拡張ユニット５４が凹部３３に装着されると、拡張ユニット５４の端子がソケット３８に挿入される。ソケット３８を通じて、スロット５４ａに装着されたＣＦカード及びスロット５４ｂに装着されたＳＤカードと、第二筐体３に内蔵された回路とが、互いにデータを入出力できるようになる。
【００２９】
拡張ユニット５５は通信モジュールであり、他の機器とデータを送受するものである。ソケット３９に挿入可能な端子が拡張ユニット５５の裏面から突出しており、拡張ユニット５５が凹部３３に装着されると、拡張ユニット５５の端子がソケット３９に挿入される。これにより、拡張ユニット５５と、第二筐体３に内蔵された回路とがソケット３８を通じて互いにデータを入出力でき、他の機器とデータを送受することができる。
【００３０】
拡張ユニット５６は液晶表示装置である。ソケット４０に挿入可能な端子が拡張ユニット５６の裏面から突出しており、拡張ユニット５６が凹部３３に装着されると、拡張ユニット５６の端子がソケット４０に挿入される。これにより、第二筐体３に内蔵された回路からソケット４０を通じて拡張ユニット５６へ信号が出力されると、拡張ユニット５６が信号に従った表示を行う。
【００３１】
以上のように、拡張ユニット５１〜５６の種類それぞれに対してソケット３５〜４０が凹部３３の底に設けられているため、拡張ユニット５１〜５６の種類を検知するためのスイッチを利用せずとも拡張ユニット５１〜５６を凹部３３に嵌めるだけで拡張ユニット５１〜５６を用いることができる。
【００３２】
なお、図１では、凹部３３に拡張ユニット５１が装着された状態が示されている。
【００３３】
図１〜図３に示すように、上部３２の左側縁部は二つの軸受部４２となっている。二つの軸受部４２は上下方向に互いに離れており、軸受部４２と軸受部４２との間に間隙４３が存する。間隙４３において第二筐体３の幅が狭くなっており、その幅はＷ２である。軸受部４２には軸受穴４２ａが形成されている。軸受穴４２ａは、間隙４３に面しており、第二筐体３の左側縁に平行な方向へ凹んだ円状の穴である。
【００３４】
次に、第一筐体２について説明する。図５（ａ）は第一筐体２を上から見た場合の上面図であり、図５（ｂ）は第一筐体２の正面図であり、図５（ｃ）は図５（ｂ）に示された切断線Ｄ−Ｄで切断した場合の第一筐体２の断面図である。
【００３５】
図５に示すように、第一筐体２も上下に長尺であり、第一筐体２の上下方向の長さＬ２は第二筐体３の上下方向の長さＬ１より短い。また、第一筐体２の幅は、第二筐体３全体の幅とほぼ同じであり、Ｗ１である。なお、第二筐体３の上部３２の長さはＬ２である。従って、正面視して、第一筐体２は、第二筐体３の上部３２と間隙４３の部分を含めた形にほぼ一致する。
【００３６】
第一筐体２の表面には、液晶表示パネル２１が設けられている。液晶表示パネル２１は、第二筐体３に内蔵された回路から出力された信号に従って表示を行う。
【００３７】
第一筐体２の裏面には、円状の軸受孔２２が形成されている。軸受孔２２は、第一筐体２の裏面において、上下方向の中央且つ左右方向の左端に配されている。
【００３８】
次に、二軸連結体６について説明する。図６（ａ）は二軸連結体６の正面図であり、図６（ｂ）は二軸連結体６を下から見た場合の下面図である。
【００３９】
図６に示すように、二軸連結体６は、上下に長尺な棒状の部材である。二軸連結体６の上端部には上へ突出するピン６２が形成されており、二軸連結体６の下端部には下へ突出するピン６３が形成されている。ピン６２，６３は、第一軸心６４を有する略円柱状となっており、互いに同軸となっている。
【００４０】
二軸連結体６の上下方向の中間部においては、二軸連結体６の側面から突出するピン６５が形成されている。ピン６５は第二軸心６６を有する略円柱状となっている。第一軸心６４に対して第二軸心６６は直交している。
【００４１】
第一筐体２と第二筐体３は二軸連結体６によって連結されている。詳細には、二軸連結体６が間隙４３に配されて、二軸連結体６のピン６２が回転自在となって上の軸受穴４２ａに差し込まれており、二軸連結体６のピン６３が回転自在に下の軸受穴４２ａに差し込まれている。これにより、二軸連結体６は、第一軸心６４回りに回転自在となって、上部３２の側縁部に連結している。なお、第一軸心６４は、第二筐体３の左側縁に沿っている。
【００４２】
また、二軸連結体６のピン６５が回転自在に軸受孔２２に差し込まれている。これにより、二軸連結体６は、第二軸心６６回りに回転自在となって、第一筐体２の裏面に連結している。
【００４３】
以上のように構成される携帯型電子機器１が閉じた状態では、図２に示すように、二軸連結体６のピン６５が第二筐体３の表面に対して垂直になっており、第一筐体２の裏面が第二筐体３の表面に向き合って、第一筐体２が第二筐体３の上部３２に重なっている。この状態では、第二筐体３の凹部３３に装着された拡張ユニット５１（他の拡張ユニット５２〜５６でも良い。）は第一筐体２によって覆われており、更に液晶表示パネル２１が露出している。この状態では、ユーザは携帯型電子機器１の長手方向を縦にして携帯型電子機器１を使用することができる。携帯型電子機器１を使用する際には、ボタン８１〜８５を押下することで所望の入力を行える。また、この状態では、拡張ユニット５１が第一筐体２と第二筐体３に挟まれているため、拡張ユニット５１が第一筐体２及び第二筐体３によって保護されて傷つかない。
【００４４】
拡張ユニット５１〜５６を交換したり、凹部３３に装着された拡張ユニット５１〜５６を使用したりする場合には、以下のようにして携帯型電子機器１を開いた状態にする。
【００４５】
まず、下方向から見て第一軸心６４を中心にして第二筐体３に対して第一筐体２を反時計回りに回転させて、図７に示すように第一筐体２を第二筐体３に対して起こす。第一筐体２を起こすと、二軸連結体６も第一筐体２と一体となって第一軸心６４を中心にして反時計回りに回転する。この場合には、図２のような第一筐体２が第二筐体３の上部３２を覆った状態から角度α°（図６に図示）だけ第一筐体２を第二筐体３に対して起こすことができるが、二軸連結体６が第二筐体３の左側縁部等によって回転を規制されることで、角度α°以上は第一筐体２を起こすことができない。なお、図７（ａ）は携帯型電子機器１を上から見て示した上面図であり、図７（ｂ）は携帯型電子機器１の正面図である。
【００４６】
次に、正面視して第二軸心６６を中心にして第二筐体３及び二軸連結体６に対して第一筐体２を反時計回りに１８０°回転させると、第一筐体２が第二筐体３の下端部３１に当たることで第一筐体２が反時計回りに１８０°以上回転することが規制される。第一筐体２が第二筐体３に対向した位置から第二筐体３の左脇へ移動する。これにより、図１に示すように、携帯型電子機器１が開いた状態になり、第二筐体３の表面が露出し、第一筐体２が第二筐体３に対して裏へ角度α°だけ傾いた状態となる。この状態で、第二筐体３の凹部３３に拡張ユニット５１〜５６を着脱することができ、拡張ユニット５１〜５６を使用することができる。なお、携帯型電子機器１を図７の状態から図１の状態に変体させるに際して、第一筐体２が第二筐体３に対してα°だけ傾いているため第一筐体２の裏面が第二筐体３の表面に擦れることがない。
【００４７】
次に、下方向から見て第一軸心６４を中心にして第二筐体３に対して第一筐体２を時計回りに回転させて、図８に示すように第一筐体２を第二筐体３に対して起こす。第一筐体２を起こすと、二軸連結体６も第一筐体２と一体となって第一軸心６４を中心にして時計回りに回転する。この場合には、図８の二点鎖線の状態から角度（α＋β）°（図６に図示）だけ第一筐体２を第二筐体３に対して起こすことができるが、二軸連結体６が第二筐体３の左側縁部等によって回転を規制されることで、角度（α＋β）°以上は第一筐体２を起こすことができない。
【００４８】
図８の状態では、ユーザは、第二筐体３を水平な場所に置いて、第二筐体３の長手方向を横にして、携帯型電子機器１を使用することができる。拡張ユニット５１を凹部３３に嵌め込めば、拡張ユニット５１のキーを押下することで所望の入力を行える。なお、図８は、携帯型電子機器１を上から見て示した上面図である。
【００４９】
以上のように本実施の形態では、二軸連結体６が第一筐体２の裏面に連結されているため、図８のように第二筐体３に対して第一筐体２を斜めに立てた状態では、第一筐体２が第二筐体３の重心に近づく。つまり、二軸連結体６が第一筐体２の裏面に連結して場合に図８のように第二筐体３に対して第一筐体２を立てた状態は、仮に二軸連結体６が第一筐体２の側面或いは表面に連結されている場合に第二筐体３に対して第一筐体２を立てた状態に比較して、第一筐体２の重心が第二筐体３の重心により近い。従って、本実施形態では、第一筐体２を第二筐体３に対して斜めに立てた状態で使用した場合に、携帯型電子機器１全体としての重量バランスが安定し、第一筐体２が第二筐体３に対して斜めに立った状態で携帯型電子機器１全体が倒れることがない。
【００５０】
また、二軸連結体６が第一筐体２の裏面に連結されているため、図８のように第二筐体３に対して第一筐体２を立てた状態では、第一筐体２が第二筐体３の右端へ近づく。従って、第二筐体３の凹部３３に拡張ユニット５１を嵌め込んだ場合、拡張ユニット５１と液晶表示パネル２１が近くなり、キータッチをしながら液晶表示パネル２１を見やすくなる。
【００５１】
また、二軸連結体６が第一筐体２の裏面に連結されているため、図２のように第二筐体３に対して第一筐体２を対向させて携帯型電子機器１を閉じた場合、液晶表示パネル２１の裏側に二軸連結体６が配され、二軸連結体６が第一筐体２の裏面に隠れる。従って、携帯型電子機器１が閉じた状態では左右対称な形状となり、全体としてまとまった形状である。そのため、携帯型電子機器１の見た目が良い。
【００５２】
また、二軸連結体６が第一筐体２の裏面に連結されているとともに第二筐体３の脇にある間隙４３に配されているため、二軸連結体６が出張っていない。従って、携帯型電子機器１が小型である。
【００５３】
また、二軸連結体６が第一筐体２の裏面に連結されているとともに間隙４３に配されているため、図１のように第一筐体２が第二軸心６６を中心にして１８０°開いた状態は、従来の図９（ａ）のような状態より左右の幅が短くなる。従って、図１の状態でも携帯型電子機器１は全体として見た目がよくコンパクトである。
【００５４】
なお、本発明は、上記各実施の形態に限定されることなく、本発明の趣旨を逸脱しない範囲において、種々の改良並びに設計の変更を行っても良い。
上記実施形態では二軸連結体６が第二筐体３の左側縁に設けられていたが、第二筐体３の上側縁、第二筐体３の右側縁に設けられても良い。第二筐体３の上側縁に二軸連結体が設けられている場合には、二軸連結体は、第二筐体３の上側縁に沿った第一軸心回りに回転自在となって第二筐体３の上側縁に連結し、且つ、この第一軸心に対して直交する第二軸心回りに回転自在となって第一筐体２の裏面における上端に連結する。一方、第二筐体３の右側縁に二軸連結体が設けられている場合には、二軸連結体は、第二筐体３の右側縁に沿った第一軸心回りに回転自在となって第二筐体３の右側縁に連結し、且つ、この第一軸心に対して直交する第二軸心回りに回転自在となって第一筐体２の裏面における右端に連結する。
【００５５】
また、拡張ユニット５１〜５６だけでなく、別の拡張ユニットが凹部３３に着脱自在であっても良い。例えば、ＵＳＢインターフェース、フラッシュメモリ等といった拡張ユニットでも良い。
【００５６】
また、液晶表示パネル２１の代わりに、ＥＬ（Ｅｌｅｃｔｒｏ　ｌｕｍｉｎｅｓｃｅｎｃｅ：エレクトロルミネッセンス）表示パネル、電界放射型表示パネルといった薄型表示パネルを第一筐体２の表面に設けても良い。
また、本発明は、電子手帳、電子辞書、携帯電話機、ノート型パーソナルコンピュータといった電子機器にも適用できる。
【００５７】
【発明の効果】
以上のように、本発明によれば、第一筐体に第二筐体が対向している場合に第一筐体の表面側から第一筐体を見ると連結体が第一筐体によって隠れている。従って、連結体が第一筐体から側方に向かって出張っていることもない。そのため、第一筐体が第二筐体に対向している場合、電子機器全体としてバランスの良い形態となっており、第一筐体に第二筐体が対向した状態の電子機器の形状が小さくすることができる。
【図面の簡単な説明】
【図１】図１は開いた状態の携帯型電子機器を示した図面であり、図１（ａ）は正面図であり、図１（ｂ）は左側面図であり、図１（ｃ）は断面図であり、図１（ｄ）は下面図である。
【図２】図２は閉じた状態の携帯型電子機器を示した図面であり、図２（ａ）は正面図であり、図２（ｂ）は左側面図であり、図２（ｃ）は断面図であり、図２（ｄ）は下面図である。
【図３】図３は第二筐体を示した図面であり、図３（ａ）は左側面図であり、図３（ｂ）は正面図であり、図３（ｃ）は断面図である。
【図４】図４は拡張ユニットを示した正面図である。
【図５】図５は第一筐体を示した図面であり、図５（ａ）は上面図であり、図５（ｂ）は正面図であり、図５（ｃ）は断面図である。
【図６】図６は二軸連結体を示した図面であり、図６（ａ）は正面図であり、図６（ｂ）は下面図である。
【図７】図７は閉じた状態から開いた状態へ変体する過程における携帯型電子機器を示した図面であり、図７（ａ）は上面図であり、図７（ｂ）は正面図である。
【図８】図８は下筐体に対して上筐体が斜めに立った状態の携帯型電子機器の上面図である。
【図９】図９は従来の電子機器の正面図である。
【符号の説明】
１　　　携帯型電子機器（電子機器）
２　　　第一筐体
３　　　第二筐体
６　　　二軸連結体（連結体）
２１　　　液晶表示パネル（表示部）
３３　　　凹部
５１〜５６　　　拡張ユニット
６４　　　第一軸心
６６　　　第二軸心
【図１】
2004046333.tif 000003
【図２】
2004046333.tif 000004
【図３】
2004046333.tif 000005
【図４】
2004046333.tif 000006
【図５】
2004046333.tif 000007
【図６】
2004046333.tif 000008
【図７】
2004046333.tif 000009
【図８】
2004046333.tif 000010
【図９】
2004046333.tif 000011